(57)【要約】【課題】  受信側の無線通信処理装置の処理動作を増やすことなく、複数の送信側無線通信処理装置を跨いだ情報の受信を容易とする無線通信処理装置、無線通信処理方法及び無線通信システムを提供する。【解決手段】  本発明に係る送信側無線通信処理装置は、受信側装置を検出すると隣接する他の送信側無線通信処理装置に対して受信側装置の検出を通知し、情報送信を開始する。受信側装置が情報送信中の送信側無線通信処理装置の送信範囲外に移動すると、隣接する他の送信側無線通信処理装置に対して送信中の情報を転送し、当該他の送信側無線通信処理装置が転送を受けた情報を受信側装置に送信する。【選択図】        図６
2007067980.tif 000002
【特許請求の範囲】
【請求項１】
ユーザが第１の情報転送範囲内に位置するとき、第１の備付け無線情報処理装置から情報を受信し、前記ユーザが移動して第２の情報転送範囲内に位置するようになったとき、前記第１の無線情報処理装置から情報転送要求を受けた第２の備付け無線情報処理装置から前記情報に後続する情報を受信する受信ステップと、
前記受信ステップで受信した前記情報を前記ユーザ用に出力する出力ステップを備えたことを特徴とする無線通信処理方法。
【請求項２】
第１の備付け無線情報処理装置が第１の情報転送範囲内にユーザ保有用無線情報処理装置を検出したとき、その検出を第２の備付け無線情報処理装置に通知する通知ステップと、
前記第１の備付け無線情報処理装置が前記通知ステップの通知と同時，あるいはそれに続いて前記ユーザ保有用無線情報処理装置に情報を転送する第１の転送ステップと、
前記ユーザ保有用無線情報処理装置が前記第１の情報転送範囲から第２の情報転送範囲へ移動したとき、前記第１の備付け無線情報処理装置が前記ユーザ保有用無線情報処理装置へ転送する情報を前記第２の備付け無線情報処理装置へ転送する第２の転送ステップと、
前記第２の備付け無線情報処理装置が前記第１の転送ステップで転送した前記情報に後続する情報を前記第２の転送ステップで転送された情報に基づいて前記ユーザ保有用無線情報処理装置へ転送する第３の転送ステップを備えたことを特徴とする無線通信処理方法。
【請求項３】
前記第２の転送ステップは、前記ユーザ保有用無線情報処理装置への情報の転送を前記第１の備付け無線情報処理装置から前記第２の備付け無線情報処理装置へ切換える切換ポイント情報を前記第１の備付け無線情報処理装置から前記第２の備付け無線情報処理装置へ転送する第４の転送ステップを含むことを特徴とする請求項２記載の無線通信処理方法。
【請求項４】
前記第１の転送ステップは、前記ユーザ保有用無線情報処理装置が前記第１の情報転送範囲から前記第２の情報転送範囲へ移動したとき、前記第１の転送ステップで転送された前記情報が前記第１の情報転送範囲のために予め定められた情報量に達していなくても情報の転送を停止する転送停止ステップを含み、
前記第３の転送ステップは、前記予め定められた情報量以降の情報を転送する第５の転送ステップを含むことを特徴とする請求項２記載の無線通信処理方法。
【請求項５】
ユーザが第１の情報転送範囲内に位置するとき、第１の備付け無線情報処理装置から情報を受信し、前記ユーザが移動して第２の情報転送範囲内に位置するようになったとき、前記第１の備付け無線情報処理装置から情報転送要求を受けた第２の備付け無線情報処理装置から前記情報に後続する情報を受信する受信部と、
前記受信部で受信した前記情報を前記ユーザ用に出力する出力部を備えたことを特徴とするユーザ保有用の無線通信処理装置。
【請求項６】
第１の情報転送範囲を有する第１の備付け無線情報処理装置と、
第２の情報転送範囲を有する第２の備付け無線情報処理装置と、
前記第１の情報転送範囲において前記第１の備付け無線情報処理装置から情報の転送を受け、前記第２の情報転送範囲において前記第２の備付け無線情報処理装置から情報の転送を受けるユーザ保有用無線情報処理装置を備え、
前記第１及び第２の備付け無線情報処理装置は、前記ユーザ保有用無線情報処理装置へ転送する情報を記憶する記憶部と、前記記憶部に記憶されている前記情報を前記ユーザ保有用無線情報処理装置へ転送する無線部を備え、
前記ユーザ保有用無線情報処理装置は、前記第１及び第２の無線情報処理装置から前記情報の転送を受ける無線部と、前記無線部で転送を受けた前記情報をユーザのために出力する出力部を備え、
前記第１の備付け無線情報処理装置が前記第１の情報転送範囲内に前記ユーザ保有用無線情報処理装置が位置することを検出したとき、前記第１の備付け無線情報処理装置の前記無線部が前記第２の備付け無線情報処理装置の前記無線部にその検出を通知し、
前記第２の備付け無線情報処理装置が前記第２の情報転送範囲内に前記ユーザ保有用無線情報処理装置が位置することを検出したとき、前記第１の備付け無線情報処理装置の前記記憶部に記憶されている前記情報を前記第１の備付け無線情報処理装置の前記無線部から転送を受けることによって前記第２の備付け無線情報処理装置の前記記憶部に記憶し、
前記第２の備付け無線情報処理装置は、前記記憶部に記憶されている前記情報を前記第２の備付け無線情報処理装置の前記無線部から前記ユーザ保有用無線情報処理装置へ転送することを特徴とする無線通信システム。
【請求項７】
前記第１の備付け無線情報処理装置は、前記ユーザ保有用無線情報処理装置への情報の転送を前記第１の備付け無線情報処理装置から前記第２の備付け無線情報処理装置へ切換える切換ポイント情報を前記第１の備付け無線情報処理装置から前記第２の備付け無線情報処理装置へ転送させる制御部を含むことを特徴とする請求項６記載の無線通信システム。
【請求項８】
前記第１の備付け無線情報処理装置は、前記ユーザ保有用無線情報処理装置が前記第１の情報転送範囲から前記第２の情報転送範囲へ移動したとき、前記第１の情報転送範囲内で転送された前記情報が前記第１の情報転送範囲のために予め定められた情報量に達していなくても情報の転送を停止させる制御部を含み、
前記第２の備付け無線情報処理装置は、前記予め定められた情報量以降の情報を前記無線部に転送させる制御部を含むことを特徴とする請求項６記載の無線通信システム。
【発明の詳細な説明】
【技術分野】
【０００１】
本発明は無線通信処理装置、無線通信処理方法及び無線通信システムに関し、特に複数の送信側無線通信処理装置を跨いだ情報の受信を容易とする無線通信処理装置、無線通信処理方法及び無線通信システムに関する。
【背景技術】
【０００２】
従来、複数の情報処理装置間で情報を授受するためには、ＦＤ等の記憶媒体を介して当該情報を移動させるか、パソコン通信やＬＡＮ等の有線接続により当該情報の送受信がなされていた。しかし、無線通信技術の発達により、離れた場所にあり有機的な接続のされていない複数の情報処理装置間で、簡単に情報の送受信が可能となった。
【０００３】
無線通信技術は日々発展しており、形態としても、無線ＬＡＮ、赤外線通信、ブルートゥース（登録商標）、ワイヤレスＵＳＢなど、様々な方式のものがある。また、その通信速度も、飛躍的に向上してきている。
【０００４】
無線通信の長所としては、情報の受け手となる装置の設置箇所が固定されず、自由に持ち運びができる点にある。但し、その移動範囲は原則として、情報の送り手となる装置の通信可能な範囲に限られる。
【０００５】
情報の送り手となる装置の通信可能範囲を超えて移動する必要があるが、その際、送り手となる装置を切り替えながら、情報の受信を継続する方法も考案されている（例えば、特許文献１参照）。
【特許文献１】特開２００３−１１０５９３号公報
【発明の開示】
【発明が解決しようとする課題】
【０００６】
しかしながら、特許文献１の方法においては、情報の送受信を継続するためには、ユーザが所有する受信側装置に位置情報やキーワードを入力し、送信側装置に対してそれらの情報を転送する必要がある。
【０００７】
そのため、受信側装置を所有しつつ移動するユーザの操作や、受信側装置の処理が増加してしまい、情報の簡便な送受信はできない。処理内容が増加すると、受信側装置の構成を簡素化することができず、モバイル機器の小型化にも制限が生じてしまう。
【０００８】
したがって本発明は、受信側の無線通信処理装置の処理動作を増やすことなく、複数の送信側無線通信処理装置を跨いだ情報の受信を容易とする無線通信処理装置、無線通信処理方法及び無線通信システムを提供することを目的とする。
【課題を解決するための手段】
【０００９】
本発明は、上記の目的を達成するため、ユーザが第１の情報転送範囲内に位置するとき、第１の備付け無線情報処理装置から情報を受信し、前記ユーザが移動して第２の情報転送範囲内に位置するようになったとき、前記第１の無線情報処理装置から情報転送要求を受けた第２の備付け無線情報処理装置から前記情報に後続する情報を受信する受信ステップと、
前記受信ステップで受信した前記情報を前記ユーザ用に出力する出力ステップを備えたことを特徴とする無線通信処理方法を提供する。
また、本発明は、上記の目的を達成するため、第１の備付け無線情報処理装置が第１の情報転送範囲内にユーザ保有用無線情報処理装置を検出したとき、その検出を第２の備付け無線情報処理装置に通知する通知ステップと、
前記第１の備付け無線情報処理装置が前記通知ステップの通知と同時，あるいはそれに続いて前記ユーザ保有用無線情報処理装置に情報を転送する第１の転送ステップと、
前記ユーザ保有用無線情報処理装置が前記第１の情報転送範囲から第２の情報転送範囲へ移動したとき、前記第１の備付け無線情報処理装置が前記ユーザ保有用無線情報処理装置へ転送する情報を前記第２の備付け無線情報処理装置へ転送する第２の転送ステップと、
前記第２の備付け無線情報処理装置が前記第１の転送ステップで転送した前記情報に後続する情報を前記第２の転送ステップで転送された情報に基づいて前記ユーザ保有用無線情報処理装置へ転送する第３の転送ステップを備えたことを特徴とする無線通信処理方法を提供する。
また、本発明は、上記の目的を達成するため、ユーザが第１の情報転送範囲内に位置するとき、第１の備付け無線情報処理装置から情報を受信し、前記ユーザが移動して第２の情報転送範囲内に位置するようになったとき、前記第１の備付け無線情報処理装置から情報転送要求を受けた第２の備付け無線情報処理装置から前記情報に後続する情報を受信する受信部と、
前記受信部で受信した前記情報を前記ユーザ用に出力する出力部を備えたことを特徴とするユーザ保有用の無線通信処理装置を提供する。
また、本発明は、上記の目的を達成するため、第１の情報転送範囲を有する第１の備付け無線情報処理装置と、
第２の情報転送範囲を有する第２の備付け無線情報処理装置と、
前記第１の情報転送範囲において前記第１の備付け無線情報処理装置から情報の転送を受け、前記第２の情報転送範囲において前記第２の備付け無線情報処理装置から情報の転送を受けるユーザ保有用無線情報処理装置を備え、
前記第１及び第２の備付け無線情報処理装置は、前記ユーザ保有用無線情報処理装置へ転送する情報を記憶する記憶部と、前記記憶部に記憶されている前記情報を前記ユーザ保有用無線情報処理装置へ転送する無線部を備え、
前記ユーザ保有用無線情報処理装置は、前記第１及び第２の無線情報処理装置から前記情報の転送を受ける無線部と、前記無線部で転送を受けた前記情報をユーザのために出力する出力部を備え、
前記第１の備付け無線情報処理装置が前記第１の情報転送範囲内に前記ユーザ保有用無線情報処理装置が位置することを検出したとき、前記第１の備付け無線情報処理装置の前記無線部が前記第２の備付け無線情報処理装置の前記無線部にその検出を通知し、
前記第２の備付け無線情報処理装置が前記第２の情報転送範囲内に前記ユーザ保有用無線情報処理装置が位置することを検出したとき、前記第１の備付け無線情報処理装置の前記記憶部に記憶されている前記情報を前記第１の備付け無線情報処理装置の前記無線部から転送を受けることによって前記第２の備付け無線情報処理装置の前記記憶部に記憶し、
前記第２の備付け無線情報処理装置は、前記記憶部に記憶されている前記情報を前記第２の備付け無線情報処理装置の前記無線部から前記ユーザ保有用無線情報処理装置へ転送することを特徴とする無線通信システムを提供する。
【発明の効果】
【００１０】
本発明によれば、受信側の無線通信処理装置の処理動作を増やすことなく、複数の送信側無線通信処理装置を跨いだ情報の受信が可能となる。
【発明を実施するための最良の形態】
【００１１】
以下、図面を参照しながら本発明の実施の形態について説明する。
【００１２】
（システムの構成）
図１は、本発明に係る無線情報処理装置の通信環境を示す外観図である。ユーザ保有の無線情報処理装置１は、複数の備付けの無線情報処理装置２との間で無線通信を行う。
【００１３】
ユーザ保有の無線通信処理装置１は、図１に示すようなヘッドフォン形状からなり、備付けの無線情報処理装置２より受信した音声データを再生し、ユーザに音声を聴取させることができる。
【００１４】
複数の備付けの無線通信処理装置２は、自ら音声データを格納し、無線通信によりユーザ保有の無線通信処理装置１へと送信する。また、各備付けの無線通信処理装置２の間では、ネットワーク３を介した有線通信或いは無線通信、又は直接の無線通信により、各種情報の送受信を行うことができる。
【００１５】
無線通信の手段としては、主としてブルートゥース（登録商標）が用いられる。但し、本発明における無線通信手段はブルートゥース（登録商標）に限られるものではなく、無線ＬＡＮやＩＲ通信などいかなる無線通信方式を用いるものであっても構わない。
【００１６】
また、図１に示すユーザ保有の無線通信処理装置１はヘッドフォン形状からなるものであるが、後述する実施例において音声データの送受信を行うことから、このような形状の装置を用いて説明しているに過ぎず、本発明に係るユーザ保有の無線通信処理装置１の形状を限定するものではない。文字データや画像データの送受信を行うことが目的の場合には、携帯テレビ、ＰＤＡ、携帯電話などのようなディスプレイを備えた装置が想定されることになる。
【００１７】
（無線情報処理装置の内部構成）
図２は、本発明に係る無線情報処理装置の内部構成を示すブロック図である。ユーザ保有の無線情報処理装置１と、複数ある備付けの無線情報処理装置２とは、形状は異なるものの、内部構成はほぼ共通である。
【００１８】
ユーザ保有の無線情報処理装置１は、制御部１１と、ＲＯＭ１２と、ＲＡＭ１３と、メモリ１４と、入力部１５と、出力部１６と、無線部１７とからなる。
【００１９】
制御部１１は、後述するＲＯＭ１２に格納されたプログラムに従い各構成部の制御を行うことにより、装置全体の動作の制御を行う。中央演算装置（ＣＰＵ）が該当する。
【００２０】
ＲＯＭ１２は、ユーザ保有の無線情報処理装置１の動作プログラムや、当該プログラムによる動作に関して必要なパラメータ等の情報を格納する。
【００２１】
ＲＡＭ１３は、プログラム実行中のデータや、他の無線情報処理装置から受信した情報を一時的に格納する。
【００２２】
メモリ１４は、プログラム実行中のデータや、他の無線情報処理装置から受信した情報であって、電源切断によっても保存されるべきものを格納する。主としてＨＤＤやフラッシュメモリ等が該当する。
【００２３】
入力部１５は、制御に必要な入力を行うものであり、操作スイッチやリモコンなどの装置が該当する。また、ヘッドフォン形状とは異なる形状の無線情報処理装置においては、キーボード、マウスなどの入力装置であってもよい。
【００２４】
出力部１６は、ユーザに対して情報を出力するものであり、図１に示すようなヘッドフォン形状の無線情報処理装置においては音声出力部に相当する。その他の形状の装置においては、音声を出力するスピーカや画像を出力するモニタ、或いはプリンタ等であってもよい。
【００２５】
無線部１７は、他の無線情報処理装置との間で無線による双方向通信を行うものである。
【００２６】
備付けの無線情報処理装置２ａ及び２ｂは、それぞれ制御部２１と、ＲＯＭ２２と、ＲＡＭ２３と、メモリ２４と、入力部２５と、出力部２６と、無線部２７とからなる。それぞれ、制御部１１、ＲＯＭ１２、ＲＡＭ１３、メモリ１４、入力部１５、出力部１６、無線部１７と同様の機能を有する。
【００２７】
（無線情報処理システムの動作）
図３は、本発明に係る無線通信処理装置からなる無線通信処理システムの基本的な動作を示す図である。
【００２８】
ユーザ４が、ユーザ保有の無線通信処理装置１を装着しており、ユーザ保有の無線通信処理装置１が備付けの無線通信処理装置２ａの通信範囲５ａの内側にあったとする。このとき、ユーザ保有の無線通信処理装置１は無線通信処理装置２ａより音声データを受信し、ユーザ４はその音声を聞くことができる。
【００２９】
またこのとき、備付けの無線通信処理装置２ａは、現在通信中であるユーザ保有の無線通信処理装置１の固体識別情報及び通信中の音声データについて、通信範囲が隣接する他の備付けの無線通信処理装置２に対して送信する。図３においては、備付けの無線通信処理装置２ｂ及び２ｅに対してである。
【００３０】
ユーザ４が移動経路６ａに沿って移動すると、ユーザ保有の無線通信処理装置１は、隣に位置する備付けの無線通信処理装置２ｂの通信範囲５ｂの中に入る。備付けの無線通信処理装置２ｂはユーザ保有の無線通信処理装置１の発信する信号を受信し、その固体識別情報より、備付けの無線通信処理装置２ａが現在通信中の無線通信処理装置であることを認識し、その旨を備付けの無線通信処理装置２ａに通知する。
【００３１】
更にユーザ４が移動し、通信範囲５ａの圏外へと出ると、ユーザ保有の無線通信処理装置１は、備付けの無線通信処理装置２ａとは無線通信ができなくなる。このとき、備付けの無線通信処理装置２ａはユーザ保有の無線通信処理装置１が通信可能である備付けの無線通信処理装置２ｂに対して通信を引き継ぐ。ユーザ保有の無線通信処理装置１は、新たに無線通信処理装置２ｂと無線通信を開始し、音声データの受信を行う。
【００３２】
更に、無線通信処理装置２ｃの通信範囲５ｃ、無線通信処理装置２ｄの通信範囲５ｄと移動するにつれ、無線通信の相手を、無線通信処理装置２ｃ、無線通信処理装置２ｄと替えながら、無線通信による音声データの受信を継続させる。
【００３３】
また、移動経路６ｂに沿ってユーザ４が移動した場合であっても同様であり、通信範囲５ａ、５ｅ、５ｆ、５ｇと移動するにつれ、無線通信の相手を無線情報処理装置２ａから、無線情報処理装置２ｅ、２ｆ、２ｇと替えながら、無線通信による音声データの受信を継続させる。
【００３４】
複数の備え付けの無線情報通信装置２を跨いで情報を受信する場合の、情報の受渡し方法には２つの形式が想定される。図４及び図５に示す。
【００３５】
図４は、複数の備え付けの無線情報通信装置２を跨いで、連続した情報を受信する場合の受渡し例である。
【００３６】
ユーザ保有の無線情報処理装置１を有するユーザ４が、備付けの無線通信装置２ａの通信範囲内にある第１の部屋７ａに居るとき、備付けの無線通信装置２ａからユーザ保有の無線情報処理装置１へと情報が送信され続ける。
【００３７】
ユーザ４が備付けの無線通信装置２ｂの通信範囲内にある第２の部屋７ｂに移動すると、情報の送信元が備付けの無線通信装置２ｂに切り換わるが、このとき、備付けの無線通信装置２ｂは、直前まで備付けの無線通信装置２ａが送信した情報の続きを連続するよう送信する。
【００３８】
切換えの際には、備付けの無線通信装置２ａから備付けの無線通信装置２ｂに対し、ユーザ保有の無線情報処理装置１に対して送信している情報、及び切り換わる時点で備付けの無線通信装置２ａが送信していた情報の位置情報（転送ポイント）を送信する。備付けの無線通信装置２ｂは、当該転送ポイント以降の情報をユーザ保有の無線情報処理装置１に対して送信する。
【００３９】
更にユーザ４が備付けの無線通信装置２ｃの通信範囲内にある第３の部屋７ｃに移動すると、情報の送信元が備付けの無線通信装置２ｃに切り換わる。このときも同様に、備付けの無線通信装置２ｃは、直前まで備付けの無線通信装置２ｂが送信した情報の続きを連続するよう送信する。以下、同様に送信元の切換えが行われていく。
【００４０】
そのため、ユーザは当該情報の送信元が備付けの無線通信装置２ａから２ｂに切り換わったことによる不具合を感じることがない。例えば、受信する情報が音楽データであった場合には、当該音楽データの送信元が切り換わった際にデータの送信が途切れることなく、且つ連続したデータの送信が行われるので、ユーザ保有の無線情報処理装置１では、受信した音楽データより途切れることなく音楽を再生することができる。
【００４１】
図５は、複数の備え付けの無線情報通信装置２から受信する情報が連続するのではなく、それぞれの備え付けの無線情報通信装置２が固有の情報を送信する場合の受渡し例である。
【００４２】
ユーザ保有の無線情報処理装置１を有するユーザ４が、備付けの無線通信装置２ａの通信範囲内にある第１の部屋７ａに居るとき、備付けの無線通信装置２ａからユーザ保有の無線情報処理装置１へと情報が送信される。
【００４３】
ユーザ４が備付けの無線通信装置２ｂの通信範囲内にある第２の部屋７ｂに移動すると、情報の送信元が備付けの無線通信装置２ｂに切り換わるが、このとき、備付けの無線通信装置２ｂは、直前まで備付けの無線通信装置２ａが送信した情報にかかわらず、独自の情報をユーザ保有の無線情報処理装置１へと送信する。そのため、備付けの無線通信装置２ａから送信されていた情報は、送信が途中であったとしてもその時点で送信が終了されることになる。
【００４４】
更にユーザ４が備付けの無線通信装置２ｃの通信範囲内にある第３の部屋７ｃに移動すると、情報の送信元が備付けの無線通信装置２ｃに切り換わる。このときも同様に、備付けの無線通信装置２ｃは、独自の情報をユーザ保有の無線情報処理装置１へと送信する。以下、同様に送信元の切換えが行われていく。
【００４５】
例えば、上記第１の部屋７ａから第３の部屋７ｃまでの各部屋が美術館の展示ルームであるような場合、各部屋毎に固有の音声ガイダンスが求められる。このとき、ユーザ保有の無線情報処理装置１が音声ガイダンス受信のためのレシーバとして使用されることになるが、音声ガイダンスがまだ終了する前に次の展示ルームに移動してしまうと、もはやその音声ガイダンスの受信は不要であり、新たな音声ガイダンスが必要となるのである。
【００４６】
（無線通信の動作）
以下、本発明に係る無線情報処理装置における無線通信処理方法による動作についてフローチャートを参照しつつ説明する。
【００４７】
図６は、備付けの無線情報処理装置２において、最初にユーザ保有の無線情報処理装置１に対して情報を送信する際の動作を示すフローチャートである。以下、特に記載のない限り、その動作は制御部２１が行うものとして説明する。
【００４８】
最初に、通信可能な範囲内にユーザ保有の無線情報処理装置１が位置することを検出したか否かの判断を行う（ステップＳ１０１）。制御部２１は、無線部２７にブルートゥース（登録商標）通信を行わせ、無線通信が可能なユーザ保有の無線情報処理装置１が存在するか否かを判断する。検出しなかったと判別した場合には（Ｓ１０１：ＮＯ）この処理を繰り返し、検出したと判別した場合には（Ｓ１０１：ＹＥＳ）、周辺に位置する備付けの無線通信処理装置２にユーザ保有の無線通信処理装置１を検出した旨の通知を行う（ステップＳ１０２）。通知内容には、検出したユーザ保有の無線通信処理装置１固体識別情報が含まれる。
【００４９】
次に、ユーザ保有の無線通信処理装置１に対する情報送信開始のための初期処理が実行される（ステップＳ１０３）。初期処理終了後、情報の送信が開始される（ステップＳ１０４）。
【００５０】
その後も、備付けの無線情報処理装置２は、常にユーザ保有の無線情報処理装置１が通信範囲内に位置するか監視を続け、通信範囲内に位置するか否かの判断を行う（ステップＳ１０５）。ユーザ保有の無線情報処理装置１が通信範囲から外れたと判別した場合には（Ｓ１０５：ＮＯ）、ユーザ保有の無線情報処理装置１が通信可能である他の備付けの無線情報処理装置２に対して、送信情報の終了ポイントとそれ以降の情報を転送した後（ステップＳ１０６）、この処理を終了する。
【００５１】
一方、ユーザ保有の無線情報処理装置１が通信範囲にあると判別した場合には（Ｓ１０５：ＹＥＳ）、情報送信を継続する（ステップＳ１０７）。
【００５２】
次に、情報の送信が完了したか否かの判断を行い（ステップＳ１０８）、まだ送信が完了していないと判別した場合には（Ｓ１０８：ＮＯ）、ステップＳ１０５へ処理を戻し、送信が完了したと判別した場合には（Ｓ１０８：ＹＥＳ）、情報送信処理を終了し（ステップＳ１０９）、この処理を終了する。
【００５３】
図７は、備付けの無線情報処理装置２において、他の備付けの無線情報処理装置２がユーザ保有の無線情報処理装置１に対して情報を送信していた状態から、情報送信処理を引き継ぐ場合の動作を示すフローチャートである。
【００５４】
最初に、周辺に位置する他の備付けの無線情報処理装置２からユーザ保有の無線情報処理装置１を検出した旨の通知を受けたか否かの判断を行う（ステップＳ１１１）。通知をまだ受けていないと判別した場合には（Ｓ１１１：ＮＯ）、この処理を繰り返し、通知を受けたと判別した場合には（Ｓ１１１：ＹＥＳ）、通知に含まれる情報をメモリ２４に記憶させる（ステップＳ１１２）。
【００５５】
次に、通信可能な範囲内にユーザ保有の無線情報処理装置１が位置することを検出したか否かの判断を行う（ステップＳ１１３）。検出しなかったと判別した場合には（Ｓ１１３：ＮＯ）この処理を繰り返し、検出したと判別した場合には（Ｓ１１３：ＹＥＳ）、検出したユーザ保有の無線情報処理装置１の固体識別情報が、ステップＳ１１２でメモリ２４に記憶させた固体識別情報と同一か否かの判断を行う（ステップ１１４）。同一でないと判別した場合には（Ｓ１１４：ＮＯ）、ステップＳ１１３に処理を戻し、同一であると判別した場合には（Ｓ１１４：ＹＥＳ）、周辺に位置する備付けの無線通信処理装置２にユーザ保有の無線通信処理装置１を検出した旨の通知を行う（ステップＳ１１５）。これにより、現在ユーザ保有の無線情報処理装置１と通信中である他の備付けの無線情報処理装置２は、この装置が次に情報送信を引き継ぐことが可能な装置であることが認識されるのである。
【００５６】
次に、現在ユーザ保有の無線情報処理装置１と通信中である他の備付けの無線情報処理装置２から、送信情報の終了ポイントとそれ以降の情報を送信してきたか否かの判断を行う（ステップＳ１１６）。送信されていないと判別した場合には（Ｓ１１６：ＮＯ）、この処理を繰り返し、送信されたと判別した場合には（Ｓ１１６：ＹＥＳ）、その情報の受信を行い（ステップＳ１１７）、ユーザ保有の無線情報処理装置１に対して情報の送信を開始する（ステップＳ１１８）。
【００５７】
これ以降は、上述した図６に示すステップＳ１０５以下の処理を行う。
【００５８】
図８は、各無線情報処理装置間における無線通信と各装置における処理の手順の関係を示すフローチャートである。尚、図８においては、ユーザ保有の無線情報処理装置１は、備付けの無線情報処理装置２ａの通信範囲内にあり、備え付けの無線通信処理装置２ａは２ｂと、２ｂは２ａ及び２ｃと、それぞれ隣接して配置されているものとする。
【００５９】
最初に、備付けの無線通信処理装置２ａがユーザ保有の無線通信処理装置１を検出し（ステップＳ１２１）、周辺装置に対して検出した旨の通知を行う（ステップＳ１２２）。これらの処理は上述したステップＳ１０１及びＳ１０２に対応する。
【００６０】
次に、備付けの無線通信処理装置２ａが情報送信を開始し（ステップＳ１２３）、その情報をユーザ保有の無線情報処理装置１が受信開始する（ステップＳ１２４）。これらは上述のステップＳ１０４に相当し、以下、通信が切換わるまで送受信は持続される。
【００６１】
次に、備付けの無線情報処理装置２ｂがユーザ保有の無線通信処理装置１を検出すると（ステップＳ１２５）、周辺装置に対して検出した旨の通知を行う（ステップＳ１２６）。これらの処理は上述したステップＳ１１３及びＳ１１５に対応する。
【００６２】
次に備付けの無線通信処理装置２ａが、ユーザ保有の無線通信処理装置１が通信圏外へ移動したことを検出すると（ステップＳ１２７）、備付けの無線通信処理装置２ｂに対してユーザ保有の無線通信処理装置１への通信を引継ぐよう、通信の切換え通知がなされる（ステップＳ１２８）。これらは上述のステップＳ１０５及びＳ１０６に相当する。
【００６３】
次に、備付けの無線通信処理装置２ｂが情報送信を開始し（ステップＳ１２９）、その情報をユーザ保有の無線情報処理装置１が受信開始する（ステップＳ１３０）。これらは上述のステップＳ１１８に相当し、以下、通信が切換わるまで送受信は持続される。
【００６４】
次に、備付けの無線情報処理装置２ｃがユーザ保有の無線通信処理装置１を検出すると（ステップＳ１３１）、周辺装置に対して検出した旨の通知を行う（ステップＳ１３２）。これらの処理は上述したステップＳ１１３及びＳ１１５に対応する。以下、同様の処理が継続されていくことになる。
【００６５】
なお、以上の説明において、情報の送信元である備付けの無線情報処理装置２の切換えは、ユーザ保有の無線通信処理装置１が通信中の備付けの無線通信処理装置２の通信範囲から外れた後、接続を切り換えるものとして説明しているが、通信が完全に切断されるより前に、次の装置へ通信を引継ぐよう構成したものであってもよい。特に、音楽データのような連続性の高い情報を受信している場合には、このような構成をとることにより通信の中断を防ぐことができ、好都合である。
【図面の簡単な説明】
【００６６】
【図１】本発明に係る無線情報処理装置の通信環境を示す外観図である。
【図２】本発明に係る無線情報処理装置の内部構成を示すブロック図である。
【図３】本発明に係る無線通信処理装置からなる無線通信処理システムの基本的な動作を示す図である。
【図４】複数の備え付けの無線情報通信装置２を跨いで、連続した情報を受信する場合の受渡し例である。
【図５】図５は、複数の備え付けの無線情報通信装置２から受信する情報が連続するのではなく、それぞれの備え付けの無線情報通信装置２が固有の情報を送信する場合の受渡し例である。
【図６】備付けの無線情報処理装置２において、最初にユーザ保有の無線情報処理装置１に対して情報を送信する際の動作を示すフローチャートである。
【図７】備付けの無線情報処理装置２において、他の備付けの無線情報処理装置２がユーザ保有の無線情報処理装置１に対して情報を送信していた状態から、情報送信処理を引き継ぐ場合の動作を示すフローチャートである。
【図８】ＩＣカード５を最初に挿入した際の初期設定動作のフローである各無線情報処理装置間における無線通信と各装置における処理の手順の関係を示すフローチャートである。
【符号の説明】
【００６７】
１、ユーザ保有の無線通信処理装置  ２、備付けの無線通信処理装置  ３、ネットワーク
４、ユーザ  ５、通信範囲  ６、移動経路  ７ａ、第１の部屋  ７ｂ、第２の部屋
７ｃ、第３の部屋  １１、２１、制御部  １２、２２、ＲＯＭ  １３、２３、ＲＡＭ
１４、２４、メモリ  １５、２５、入力部  １６、２６、出力部  １７、２７、無線部
【図１】
2007067980.tif 000003
【図２】
2007067980.tif 000004
【図３】
2007067980.tif 000005
【図４】
2007067980.tif 000006
【図５】
2007067980.tif 000007
【図６】
2007067980.tif 000008
【図７】
2007067980.tif 000009
【図８】
2007067980.tif 000010